(57)【要約】【課題】画像形成装置が複数の省電力状態のうちいずれの省電力状態であっても、省電力状態から通常モードに確実に復帰させることができる画像形成システム等を提供する。【解決手段】画像形成装置１は、（１）負荷への電力供給を遮断した第１の省電力状態、（２）負荷への電力供給を遮断し、コントローラの少なくともＣＰＵをＳＴＲにする第２の省電力状態、（３）無線ＬＡＮモジュールと電力供給遮断制御手段のみに給電し、それ以外への給電を遮断した第３の省電力状態、を有し、外部端末２は、前記画像形成装置１にアプリケーションレベルでの接続操作を実施する場合に、第２の省電力状態からの復帰方法と第３の省電力状態からの復帰方法の両方を実施する。【選択図】  図１２
2014063404.tif 000002
【特許請求の範囲】
【請求項１】
画像形成装置と、該画像形成装置とネットワークにより接続され、画像形成装置を操作可能な外部端末とを備えた画像形成システムであって、
前記画像形成装置は、
有線ＬＡＮモジュールを内蔵しコア電源を遮断し消費電力を削減するＳＴＲ機能と、有線ＬＡＮモジュールが特定パケットを受信するとコア電源をオンにしＳＴＲから復帰する機能を有するＣＰＵと、省電力状態において特定パケットを受信すると制御信号を出力する機能を有する無線ＬＡＮモジュールを有するコントローラと、
負荷への電力の供給及び遮断を制御する電力供給遮断制御手段と、
を備え、
前記無線ＬＡＮモジュールの制御信号は前記電力供給遮断制御手段に入力され、制御信号が有効になると、前記負荷に電力が供給される構成となっており、
かつ、前記画像形成装置は、
（１）前記負荷への電力供給を遮断した第１の省電力状態、
（２）前記負荷への電力供給を遮断し、前記コントローラの少なくともＣＰＵをＳＴＲにする第２の省電力状態、
（３）前記無線ＬＡＮモジュールと電力供給遮断制御手段のみに給電し、それ以外への給電を遮断した第３の省電力状態、
の３つの省電力状態を有し、
ネットワークを介して前記各省電力状態から画像形成装置を復帰させる方法は、
（１）第１の省電力状態の場合は、アプリケーションレベルの接続アクセス、
（２）第２の省電力状態の場合は、有線ＬＡＮモジュールへの特定パケットの送信、
（３）第３の省電力状態の場合は、無線ＬＡＮモジュールへの特定パケットの送信、
であり、
前記外部端末は、前記画像形成装置にアプリケーションレベルでの接続操作を実施する場合に、第２の省電力状態からの復帰方法と第３の省電力状態からの復帰方法の両方を実施することを特徴とする画像形成システム。
【請求項２】
前記外部端末は、前記画像形成装置にアプリケーションレベルでの接続操作を実施する場合に、前記第３の省電力状態から復帰させるための無線ＬＡＮモジュールへの特定パケットの送信を行い、続いて第２の省電力状態から復帰させるための有線ＬＡＮモジュールへの特定パケットの送信を行い、続いてアプリケーションレベルの接続のためのコマンドの送信を行い、アプリケーションレベルでの接続を試みる請求項１に記載の画像形成システム。
【請求項３】
前記アプリケーションレベルでの接続を試みた結果、画像形成装置から応答がなくアプリケーションレベルの接続が確立されなかった場合、省電力状態からの復帰時間経過後に、再度アプリケーションレベルの接続コマンドの送信を行いアプリケーションレベルの接続を試みる請求項２に記載の画像形成システム。
【請求項４】
前記アプリケーションレベルでの接続を試みた結果、画像形成装置から応答がなくアプリケーションレベルの接続が確立されなかった場合、第２の省電力状態からの復帰時間経過後に、再度アプリケーションレベルの接続コマンドの送信を行いアプリケーションレベルの接続を試み、画像形成装置から応答がなくアプリケーションレベルの接続が確立されなかった場合は、第３の省電力状態からの復帰時間経過後に、再度アプリケーションレベルの接続コマンドの送信を行いアプリケーションレベルの接続を試みる請求項２に記載の画像形成システム。
【請求項５】
前記画像形成装置と外部端末のネットワーク接続経路として、
（１）画像形成装置は有線／無線ＬＡＮでネットワークに接続し、外部端末は同一ネットワーク上のアクセスポイントに無線で接続する、
（２）画像形成装置と外部端末を直接に無線ＬＡＮで接続する、
の２つの接続経路を有し、
画像形成装置と外部端末が直接に無線ＬＡＮで接続された状態で、前記第３の省電力状態に移行する場合に、画像形成装置は無線ＬＡＮモジュールをアクセスポイントモードから子機モードに切り替え、設定されたアクセスポイントに接続する請求項１〜４のいずれかに記載の画像形成システム。
【請求項６】
前記外部端末から画像形成装置にアプリケーションレベルの接続を実施する場合、アプリケーションレベルの接続を行う経路と外部端末のアクセスポイントへの接続状態に基づいて、前記各省電力状態からの復帰方法の実施手順を変更する請求項５に記載の画像形成システム。
【請求項７】
前記第３の省電力状態からの復帰方法で第２の省電力状態から復帰することはなく、第２の省電力状態からの復帰方法で第３の省電力状態から復帰することはなく、それぞれの省電力状態からの復帰方法が独立している請求項１〜６のいずれかに記載の画像形成システム。
【請求項８】
画像形成装置と、該画像形成装置とネットワークにより接続され、画像形成装置を操作可能な外部端末とを備えた画像形成システムで実行される画像形成装置の省電力状態からの復帰方法であって、
前記画像形成装置は、
有線ＬＡＮモジュールを内蔵しコア電源を遮断し消費電力を削減するＳＴＲ機能と、有線ＬＡＮモジュールが特定パケットを受信するとコア電源をオンにしＳＴＲから復帰する機能を有するＣＰＵと、省電力状態において特定パケットを受信すると制御信号を出力する機能を有する無線ＬＡＮモジュールを有するコントローラと、
負荷への電力の供給及び遮断を制御する供給遮断制御手段と、
を備え、
前記無線ＬＡＮモジュールの制御信号は前記供給遮断制御手段に入力され、制御信号が有効になると、前記負荷に電力が供給される構成となっており、
かつ、前記画像形成装置は、
（１）前記負荷への電力供給を遮断した第１の省電力状態、
（２）前記負荷への電力供給を遮断し、前記コントローラの少なくともＣＰＵをＳＴＲにする第２のの省電力状態、
（３）前記無線ＬＡＮモジュールと供給遮断制御手段のみに給電し、それ以外への給電を遮断した第３の省電力状態、
の３つの省電力状態を有し、
ネットワークを介して前記各省電力状態から画像形成装置を復帰させる方法は、
（１）第１の省電力状態の場合は、アプリケーションレベルの接続アクセス、
（２）第２の省電力状態の場合は、有線ＬＡＮモジュールへの特定パケットの送信、
（３）第３の省電力状態の場合は、無線ＬＡＮモジュールへの特定パケットの送信、
であり、
前記外部端末は、前記画像形成装置にアプリケーションレベルでの接続操作を実施する場合に、第２の省電力状態からの復帰方法と第３の省電力状態からの復帰方法の両方を実施することを特徴とする画像形成装置の省電力状態からの復帰方法。
【請求項９】
請求項１〜７のいずれかに記載の画像形成システムに用いられる画像形成装置。
【発明の詳細な説明】
【技術分野】
【０００１】
この発明は、複数の省電力状態を有する画像形成装置と、該画像形成装置とネットワークにより接続可能であるとともに画像形成装置を操作可能な外部端末と、を備えた画像形成システム、該システムにおける画像形成装置の省電力状態からの復帰方法並びに画像形成装置に関する。
【背景技術】
【０００２】
多機能デジタル複合機であるＭＦＰ（Multi Function Peripherals）等の画像形成装置として、各部への電力供給状態の異なる下記の３つの省電力状態を有する画像形成装置が知られている。
（１）負荷への電力供給を遮断した第１の省電力状態、
（２）負荷への電力供給を遮断し、コントローラの少なくともＣＰＵをＳＴＲ（Suspend To Ram）にする第２の省電力状態、
（３）無線ＬＡＮモジュールと、負荷への電力の供給及び遮断を制御する電力供給遮断制御手段のみに給電し、それ以外への給電を遮断した第３の省電力状態。
【０００３】
この場合、第２の省電力状態では復帰後に復帰要因に応じて画像形成装置の挙動を切り替える必要があるが、第２の省電力状態からの復帰方法として第３の省電力状態に対する復帰方法を適用すると、復帰要因を判定することができない。
【０００４】
また、画像形成装置と携帯端末等の外部端末とを複数の接続経路で接続することが可能であっても、外部端末から画像形成装置に接続しただけでは、画像形成装置がどの省電力状態にあるかを知ることができない。
【０００５】
なお、特許文献１には、無線機能を有する画像形成装置において、無線機能を用いるユーザへの利便性を向上した技術が開示されている。具体的には、情報信号に基づいて画像を印刷できる複合機を省電力モードと待機モードとを有するものに構成し、端末装置から無線で発信される情報信号を検出可能な受信装置を複合機に設け、さらに複合機が省電力モード中に端末装置からの情報信号を受信装置が受信したとき、複合機を省電力モードから待機モードに移行させる制御部を設ける、というものである。
【先行技術文献】
【特許文献】
【０００６】
【特許文献１】特開２００２−１４４６７６号公報
【発明の概要】
【発明が解決しようとする課題】
【０００７】
しかしながら、上記特許文献１に記載の技術は、外部端末からの無線信号で画像形成装置の省電力モードを解除できるものの、画像形成装置が前述した複数の省電力状態を有する場合の省電力状態からの復帰方法については、これを開示するものではなかった。
【０００８】
この発明は、このような技術的背景に鑑みてなされたものであって、画像形成装置が複数の省電力状態のうちいずれの省電力状態であっても、省電力状態から通常モードに確実に復帰させることができる画像形成システムを提供し、さらには該システムにおける画像形成装置の省電力状態からの復帰方法、並びに画像形成装置を提供することを課題とする。
【課題を解決するための手段】
【０００９】
上記課題は、以下の手段によって解決される。
［１］画像形成装置と、該画像形成装置とネットワークにより接続され、画像形成装置を操作可能な外部端末とを備えた画像形成システムであって、前記画像形成装置は、有線ＬＡＮモジュールを内蔵しコア電源を遮断し消費電力を削減するＳＴＲ機能と、有線ＬＡＮモジュールが特定パケットを受信するとコア電源をオンにしＳＴＲから復帰する機能を有するＣＰＵと、省電力状態において特定パケットを受信すると制御信号を出力する機能を有する無線ＬＡＮモジュールを有するコントローラと、負荷への電力の供給及び遮断を制御する電力供給遮断制御手段と、を備え、前記無線ＬＡＮモジュールの制御信号は前記電力供給遮断制御手段に入力され、制御信号が有効になると、前記負荷に電力が供給される構成となっており、かつ、前記画像形成装置は、（１）前記負荷への電力供給を遮断した第１の省電力状態、（２）前記負荷への電力供給を遮断し、前記コントローラの少なくともＣＰＵをＳＴＲにする第２の省電力状態、（３）前記無線ＬＡＮモジュールと電力供給遮断制御手段のみに給電し、それ以外への給電を遮断した第３の省電力状態、の３つの省電力状態を有し、ネットワークを介して前記各省電力状態から画像形成装置を復帰させる方法は、（１）第１の省電力状態の場合は、アプリケーションレベルの接続アクセス、（２）第２の省電力状態の場合は、有線ＬＡＮモジュールへの特定パケットの送信、（３）第３の省電力状態の場合は、無線ＬＡＮモジュールへの特定パケットの送信、であり、前記外部端末は、前記画像形成装置にアプリケーションレベルでの接続操作を実施する場合に、第２の省電力状態からの復帰方法と第３の省電力状態からの復帰方法の両方を実施することを特徴とする画像形成システム。
［２］前記外部端末は、前記画像形成装置にアプリケーションレベルでの接続操作を実施する場合に、前記第３の省電力状態から復帰させるための無線ＬＡＮモジュールへの特定パケットの送信を行い、続いて第２の省電力状態から復帰させるための有線ＬＡＮモジュールへの特定パケットの送信を行い、続いてアプリケーションレベルの接続のためのコマンドの送信を行い、アプリケーションレベルでの接続を試みる前項１に記載の画像形成システム。
［３］前記アプリケーションレベルでの接続を試みた結果、画像形成装置から応答がなくアプリケーションレベルの接続が確立されなかった場合、省電力状態からの復帰時間経過後に、再度アプリケーションレベルの接続コマンドの送信を行いアプリケーションレベルの接続を試みる前項２に記載の画像形成システム。
［４］前記アプリケーションレベルでの接続を試みた結果、画像形成装置から応答がなくアプリケーションレベルの接続が確立されなかった場合、第２の省電力状態からの復帰時間経過後に、再度アプリケーションレベルの接続コマンドの送信を行いアプリケーションレベルの接続を試み、画像形成装置から応答がなくアプリケーションレベルの接続が確立されなかった場合は、第３の省電力状態からの復帰時間経過後に、再度アプリケーションレベルの接続コマンドの送信を行いアプリケーションレベルの接続を試みる前項２に記載の画像形成システム。
［５］前記画像形成装置と外部端末のネットワーク接続経路として、（１）画像形成装置は有線／無線ＬＡＮでネットワークに接続し、外部端末は同一ネットワーク上のアクセスポイントに無線で接続する、（２）画像形成装置と外部端末を直接に無線ＬＡＮで接続する、の２つの接続経路を有し、画像形成装置と外部端末が直接に無線ＬＡＮで接続された状態で、前記第３の省電力状態に移行する場合に、画像形成装置は無線ＬＡＮモジュールをアクセスポイントモードから子機モードに切り替え、設定されたアクセスポイントに接続する前項１〜４のいずれかに記載の画像形成システム。
［６］前記外部端末から画像形成装置にアプリケーションレベルの接続を実施する場合、アプリケーションレベルの接続を行う経路と外部端末のアクセスポイントへの接続状態に基づいて、前記各省電力状態からの復帰方法の実施手順を変更する前項５に記載の画像形成システム。
［７］前記第３の省電力状態からの復帰方法で第２の省電力状態から復帰することはなく、第２の省電力状態からの復帰方法で第３の省電力状態から復帰することはなく、それぞれの省電力状態からの復帰方法が独立している前項１〜６のいずれかに記載の画像形成システム。
［８］画像形成装置と、該画像形成装置とネットワークにより接続され、画像形成装置を操作可能な外部端末とを備えた画像形成システムで実行される画像形成装置の省電力状態からの復帰方法であって、前記画像形成装置は、有線ＬＡＮモジュールを内蔵しコア電源を遮断し消費電力を削減するＳＴＲ機能と、有線ＬＡＮモジュールが特定パケットを受信するとコア電源をオンにしＳＴＲから復帰する機能を有するＣＰＵと、省電力状態において特定パケットを受信すると制御信号を出力する機能を有する無線ＬＡＮモジュールを有するコントローラと、負荷への電力の供給及び遮断を制御する供給遮断制御手段と、を備え、前記無線ＬＡＮモジュールの制御信号は前記供給遮断制御手段に入力され、制御信号が有効になると、前記負荷に電力が供給される構成となっており、かつ、前記画像形成装置は、（１）前記負荷への電力供給を遮断した第１の省電力状態、（２）前記負荷への電力供給を遮断し、前記コントローラの少なくともＣＰＵをＳＴＲにする第２のの省電力状態、（３）前記無線ＬＡＮモジュールと供給遮断制御手段のみに給電し、それ以外への給電を遮断した第３の省電力状態、の３つの省電力状態を有し、ネットワークを介して前記各省電力状態から画像形成装置を復帰させる方法は、（１）第１の省電力状態の場合は、アプリケーションレベルの接続アクセス、（２）第２の省電力状態の場合は、有線ＬＡＮモジュールへの特定パケットの送信、（３）第３の省電力状態の場合は、無線ＬＡＮモジュールへの特定パケットの送信、であり、前記外部端末は、前記画像形成装置にアプリケーションレベルでの接続操作を実施する場合に、第２の省電力状態からの復帰方法と第３の省電力状態からの復帰方法の両方を実施することを特徴とする画像形成装置の省電力状態からの復帰方法。
［９］前項１〜７のいずれかに記載の画像形成システムに用いられる画像形成装置。
【発明の効果】
【００１０】
前項（１）及び（８）に記載の発明によれば、外部端末は、画像形成装置にアプリケーションレベルでの接続操作を実施する場合に、第２の省電力状態からの復帰方法と第３の省電力状態からの復帰方法の両方を実施するから、画像形成装置がどの省電力状態であっても通常モードへ確実に復帰させることができる。
【００１１】
前項（２）〜（４）に記載の発明によれば、各省電力状態からの復帰をより確実に行うことができる。
【００１２】
前項（５）及び（６）に記載の発明によれば、画像形成装置と外部端末との接続経路に依存することなく、各省電力状態からの復帰を確実に行うことができる。
【００１３】
前項（７）に記載の発明によれば、本発明の効果をより有効に発揮させることができる。
【００１４】
前項（８）に記載の発明によれば、画像形成装置の各省電力状態からの復帰が確実に行われる。
【図面の簡単な説明】
【００１５】
【図１】この発明の一実施形態に係る画像形成システムに用いられる画像形成装置の構成を示すブロック図である。
【図２】外部端末の構成を示すブロック図である。
【図３】図１に示した画像形成システムの第１のネットワーク接続形態を示す図である。
【図４】同じく第１のネットワーク接続形態を示す図である。
【図５】第１の省電力状態における画像形成装置の各部へ電力供給状態を示す図である。
【図６】第２の省電力状態における画像形成装置の各部へ電力供給状態を示す図である。
【図７】第３の省電力状態における画像形成装置の各部へ電力供給状態を示す図である。
【図８】画像形成装置において第３の省電力状態を実現するための構成を示すブロック図である。
【図９】各省電力状態にある画像形成装置を外部端末から復帰させる場合の復帰方法を示す表である。
【図１０】外部端末の画像形成装置への接続および画像形成装置の省電力状態からの復帰を行うために必要な接続情報を示す表である。
【図１１】画像形成装置の第３の省電力状態への移行時の制御処理を示すフローチャートである。
【図１２】外部端末によるアプリケーションレベルでの接続制御処理及び画像形成装置の省電力状態からの復帰制御処理を示すフローチャートである。
【発明を実施するための形態】
【００１６】
以下、この発明の実施形態を図面に基づいて説明する。
【００１７】
図１はこの発明の一実施形態に係る画像形成装置の構成を示すブロック図である。この実施形態では、画像形成装置として多機能デジタル複合機であるＭＦＰが用いられている。以下、画像形成装置をＭＦＰとも記す。
【００１８】
図１に示すように、ＭＦＰ１は、装置全体を制御するＣＰＵ１０１と、ＣＰＵ１０１に内蔵されておりネットワーク通信を行う有線ネットワークモジュール１０５と、ＣＰＵ１０１が動作する際の作業領域として使用されるＲＡＭ１０２と、ＣＰＵ１０１の動作用プログラム等のデータを記憶するＲＯＭ１０３と、画像データやその他のデータを保存するハードディスク装置（ＨＤＤ）等からなる記憶部１０４と、ユーザによって入力操作されるとともに操作画面等を表示するための操作パネル１０６と、原稿を読み取るためのスキャナ１１０と、読み取りにより得られた画像データの処理を行うスキャナ用画像処理モジュール１１１と、画像の圧縮及び伸張を行う画像制御モジュール１１２と、プリントする画像デ一タの処理を行うプリンタ用画像処理モジュール１１３と、印刷を行うプリンタ１１４と、ファクシミリ通信を行うＦＡＸコントローラ１０８と、ＵＳＢデバイスを接続するためのＵＳＢインターフェース（ＵＳＢＩ／Ｆ）モジュール１０７と、外部端末と無線で通信するための無線ＬＡＮ（Local Area Network）モジュール１０９を備えている。
【００１９】
なお、ＣＰＵ１０１及び無線ＬＡＮモジュール１０９を含んで、ＭＦＰコントローラが構成される。
【００２０】
図２は、図１に示したＭＦＰ１と連携する外部端末としての携帯端末２の構成を示すブロック図である。
【００２１】
携帯端末２は、装置全体を制御するＣＰＵ２０１と、ＣＰＵ２０１が動作する際に使用するＲＡＭ２０２と、データを記憶するＲＯＭ２０３と、ユーザによって入力操作されるとともに操作画面等を表示するための操作パネル２０４と、ＭＦＰ１と無線で通信するための無線ＬＡＮモジュール２０５等で構成される。
【００２２】
この実施形態では、携帯端末２にネットワークを介してアプリケーションレベルで接続することで、ＭＦＰ１の操作パネル１０６に表示する画像を携帯端末２に送信し、携帯端末２は受信したパネル表示画像を操作パネル２０４に表示し、ＭＦＰ１の操作パネル１０６と同様に、携帯端末２の操作パネル２０４をタッチすることで、接続されているＭＦＰ１を操作することができるものとなされている。つまり、携帯端末２は、ＭＦＰ１の操作パネル１０６と同等の操作機能を有している。
【００２３】
図３は、図１に示したＭＦＰ１と携帯端末２とのネットワーク接続形態の第１の例を示すものである。
【００２４】
この接続形態では、ＭＦＰ１は有線／無線ＬＡＮでネットワーク３に接続され、携帯端末（以下、端末ともいう）２は無線ＬＡＮで無線アクセスポイント（アクセスポイントをＡＰともいう）４を経由してネットワーク３に接続され、ＭＦＰ１と端末２はネットワーク３経由で接続される。
【００２５】
図４は、図１に示したＭＦＰ１と携帯端末２とのネットワーク接続形態の第２の例を示すものである。この例では、ＭＦＰ１と携帯端末２とがＰ２Ｐ（Peer to Peer）で接続されている。
【００２６】
ところで、前記ＭＦＰ１は複数の種類の省電力状態（省電力モード）を有している。
【００２７】
図５は第１の省電力状態（スリープモードともいう）におけるＭＦＰ１の各部へ電力供給状態を示す図である。
【００２８】
このスリープモードでは、ＣＰＵ１０１及び無線ＬＡＮモジュール１０９を含むＭＦＰコントローラは省電力状態ではないが、ＭＦＰ１の操作パネル１０６、スキャナ１１０、プリンタ１１４に対して給電を遮断され省電力状態となっている。なお、斜線が施されたブロックは給電が遮断されていることを示す。図６及び図７においても同様である。
【００２９】
図６は第２の省電力状態(ディープスリープ（DeepSleep）モードともいう)におけるＭＦＰ１の各部へ電力供給状態を示す図である。
【００３０】
このDeepSleepモードでは、スリープモードで給電が遮断される操作パネル１０６、スキャナ１１０、プリンタ１１４の他に、ＭＦＰコントローラの各デバイスへの電源供給を止めたり、ＵＳＢインターフェースモジュール１０７、スキャナ用画像処理モジュール１１１、画像制御モジュール１１２、プリンタ用画像処理モジュール１１３等のデバイスを省電力状態にする。ＣＰＵ１０１もコアへの電力供給を停止するいわゆるSuspend To Ram（ＳＴＲ）状態となる。
【００３１】
このSuspend To Ram（ＳＴＲ）は、ＲＡＭ１０２内のデータは保持しつつ、ＣＰＵ１０１を停止させる省電力方法である。
【００３２】
図７は第３の省電力状態(Ｅｒｐ（energy-related products）モードともいう)におけるＭＦＰ１の各部へ電力供給状態を示す図である。
【００３３】
このＥｒｐモードでは、DeepSleepモードから更に、電源からの各デバイスへの電力供給を制御する電源供給遮断回路と無線ＬＡＮモジュール１０９に電力を供給するのみで、その他のデバイスへの電力供給を停止する。
【００３４】
図８に、ＭＦＰ１においてＥｒｐモードを実現するための構成を示す。ＭＦＰコントローラ１２２のうちの無線ＬＡＮモジュール１０９と、電力供給遮断回路１２１にのみ常に電源１２０から電力が供給され、操作パネル１０６、スキャナ１１０、プリンタ１１４等への電力供給は電力供給遮断回路１２１を介して行われる。また、電力供給遮断回路１２１に対する電力遮断の制御はＭＦＰコントローラ１２２が行い、電力供給（遮断解除）の制御は無線ＬＡＮモジュール１０９が行う。
【００３５】
図９は、各省電力状態にあるＭＦＰ１を端末２から復帰させる場合の復帰方法を示す表である。
【００３６】
ＭＦＰ１の省電力状態からの復帰時間は、スリープモード＜DeepSleepモード＜Ｅｒｐモードとなる。
【００３７】
この実施形態では、前述したように、携帯端末２にネットワーク３を介してアプリケーションレベルで接続することで、携帯端末２はＭＦＰ１の操作パネル１０６に表示される操作用画像を操作パネル２０４に表示し、ＭＦＰ１の操作パネル１０６と同様に、携帯端末２の操作パネル２０４をタッチすることで、接続されているＭＦＰ１を操作することができるものとなされている。
【００３８】
アプリケーションレベルの接続とは、端末２側のアプリケーションがＭＦＰ１に接続要求をし、ＭＦＰ１が接続許可を通知することで、ＭＦＰ１から許可が得られ、端末２側のアプリケーションのステータスが接続中となり接続が確立されることをいう。
【００３９】
携帯端末２をＭＦＰ１に接続しようとした時、ＭＦＰ１がDeepSleepモードもしくはＥｒｐモードの省電力状態にある場合、ＭＦＰ１はネットワーク通信を行うことができないため、接続を確立することができない。
【００４０】
そこでこの実施形態では、携帯端末２で接続操作をした場合に、DeepSleepモード、Ｅｒｐモードの場合の復帰方法とアプリケーションレベルの接続を試みる。
【００４１】
図１０は、携帯端末２のＭＦＰ１への接続およびＭＦＰ１の省電力状態の解除（通常モードへの復帰）を行うために必要な接続情報を示す表である。
【００４２】
接続情報のＮｏ．１〜５はそれぞれ「有線ＩＰアドレス」「無線ＩＰアドレス」「無線が子機モードのときに使用するＳＳＩＤ（Service Set Identifier）」「無線がＡＰモードのときのＳＳＩＤ」「無線のＭＡＣアドレス」であり、これらはＭＦＰ１と携帯端末２がアプリケーションレベルで接続された時に、ＭＦＰ１から携帯端末２に渡される。接続情報のＮｏ．６〜７はそれぞれ「前回接続成功時のＩＰアドレス」「前回接続成功時の端末が接続していたＡＰのＳＳＩＤ」であり、これらは携帯端末２が記憶しておく。
【００４３】
次に、ＭＦＰ１のＥｒｐモード移行時の制御処理を、図１１のフローチャートを参照して説明する。
【００４４】
Ｅｒｐモードでは図７及び図８で示されるように、無線ＬＡＮモジュール１０９と電源供給遮断回路１２１以外の給電は停止され、電源供給遮断回路１２１から給電を再開するためには、無線ＬＡＮモジュール１０９からの制御信号を有効にする必要がある。携帯端末２に対し、無線ＩＰアドレスと無線ＬＡＮのＭＡＣアドレスを含めたＡＲＰ（Address Resolution Protocol）テーブルに更新するように、ＡＲＰＩＮＧコマンドを発行する（ステップＳ００１）。ステップＳ００２では第２の接続形態（無線Ｐ２Ｐ）で接続されているかどうかを調べ、第２の接続形態で接続されている場合（ステップＳ００２でＹＥＳ）、無線ＬＡＮの制御モードをＡＰモードから子機モードに変更し（ステップＳ００３）、無線ＬＡＮをユーザが設定指示しているＡＰに接続したのち（ステップＳ００４）、ステップＳ００５に進む。子機モードとは、ＡＰポイントモード（親機モード）に対して、ＡＰに接続し通信を行うモードである。ステップＳ００２において、第２の接続形態で接続されていない場合（ステップＳ００２でＮＯ）、そのままステップＳ００５に進む。
【００４５】
ステップＳ００５では、無線ＬＡＮデバイスに復帰用のパケットフィルタを設定し、省電カモードに移行させる（ステップＳ００６）。以上の復帰のための設定・制御を行い、電源供給遮断回路１２１への制御信号を操作し、無線ＬＡＮモジュール１０９と電源供給遮断回路１２１以外への電力供給を停止する（ステップＳ００７）。
【００４６】
次に、携帯端末２によるアプリケーションレベルでの接続制御処理及びＭＦＰ１の省電力状態からの復帰制御処理を、図１２のフローチャートを参照して説明する。
【００４７】
携帯端末２は、アプリケーションレベルの接続が成功した場合、図１０に示した接続情報により制御を行う。
【００４８】
ユーザが携帯端末２の操作を開始し、接続するＭＦＰ１のＩＰアドレスを指定し接続操作を行う。
【００４９】
まず、前回接続がＰ２Ｐによる接続かどうかを、接続情報の「無線がＡＰモード時のＳＳＩＤ」と「前回接続成功時の端末が接続していたＡＰのＳＳＩＤ」より判断する（ステップＳ２０１）。ここでＰ２Ｐでなかった場合つまり接続情報の「無線がＡＰモード時のＳＳＩＤ」と「前回接続成功時の端末が接続していたＡＰのＳＳＩＤ」が異なる場合（ステップＳ２０１でＮＯ）、接続情報の「無線ＩＰアドレス」と「無線のＭＡＣアドレス」を基にＥｒｐ復帰パケットを生成し送出し（ステップＳ２１７）、続けて接続情報の「有線ＩＰアドレス」を基にDeepSleep復帰パケットを生成し送出したのち（ステップＳ２１８）、アプリケーションレベルの接続を試みる（ステップＳ２０８）。
【００５０】
ステップＳ２０１の判断結果がＹｅｓの場合、つまり接続情報の「無線がＡＰモード時のＳＳＩＤ」と「前回接続成功時の端末が接続していたＡＰのＳＳＩＤ」が同じ場合、接続操作時のユーザ指定のＩＰアドレスと接続情報の「無線ＩＰアドレス」からＰ２Ｐでの接続を行うのかどうかを判断し（ステップＳ２０２）、ステップＳ２０２の結果がＮｏの揚合つまり接続操作時のユーザ指定のＩＰアドレスと接続情報の「無線ＩＰアドレス」が異なる場合、携帯端末２の接続ＡＰ設定を、接続情報の「無線が子機モード時に使用するＳＳＩＤ」におけるＳＳＩＤのＡＰに変更してネットワーク接続する（ステップＳ２１４）。
【００５１】
その後、接続情報の「無線ＩＰアドレス」と「無線のＭＡＣアドレス」を基にＥｒｐ復帰パケットを生成し送出し（ステップＳ２１５）、続けて接続情報の「有線ＩＰアドレス」を基にDeepSleep復帰パケットを生成し送出したのち（ステップＳ２１６）、アプリケーションレベルの接続を試みる（ステップＳ２０８）。
【００５２】
ステップＳ２０２の判断結果がＹｅｓの場合、つまり接続操作時のユーザ指定のＩＰアドレスと接続情報の「無線ＩＰアドレス」が同じ場合、携帯端末２はＭＦＰ１のＡＰに接続状態になっているかを確認し（ステップＳ２０３）、接続状態になっている場合（ステップＳ２０３でＹＥＳ）、ＭＦＰ１はＥｒｐモードでもDeepSleepモードでもないと判断できるため、ステップＳ２０８に進み、アプリケーションレベルの接続を試みる。
【００５３】
ステップＳ２０３で接続状態になっていない場合（ステップＳ２０３でＮＯ）、ＭＦＰ１はＥｒｐモードかDeepSleepモードのどちらかであると判断できるため、復帰制御を行う。
【００５４】
具体的には、携帯端末２の接続ＡＰ設定を、接続情報の「無線が子機モード時に使用するＳＳＩＤ」におけるＳＳＩＤのＡＰに変更してネットワーク接続し（ステップＳ２０４）、その後、接続情報の「無線ＩＰアドレス」と「無線のＭＡＣアドレス」を基にＥｒｐ復帰パケットを生成し送出し（ステップＳ２０５）、続けて接続情報の「有線ＩＰアドレス」を基にDeepSleep復帰パケットを生成し送出し（ステップＳ２０６）、さらにＰ２Ｐでアプリケーションレベルの接続を行うために端末２の接続ＡＰ設定を、接続情報の「無線がＡＰモード時のＳＳＩＤ」におけるＳＳＩＤのＡＰに変更してネットワーク接続し（ステップＳ２０７）、アプリケーションレベルの接続を試みる（ステップＳ２０８）。
【００５５】
次いでステップＳ２０９で、アプリケーションレベルの接続が確立されたかどうかを判断し、確立されると（ステップＳ２０９でＹＥＳ）、処理を終了する。確立されなかった場合（ステップＳ２０９でＮＯ）、DeepSleepモードからの復帰時間が経過するのを待って、再度アプリケーションレベルの接続を試みる（ステップＳ２１０）。
【００５６】
ステップＳ２１１では、アプリケーションレベルの接続が確立されたかどうかを判断し、確立されると（ステップＳ２１１でＹＥＳ）、処理を終了する。確立されなかった場合（ステップＳ２１１でＮＯ）、Ｅｒｐモードからの復帰時間が経過するのを待って、再度アプリケーションレベルの接続を試みる（ステップＳ２１２）。
【００５７】
ステップＳ２１３では、アプリケーションレベルの接続が確立されたかどうかを判断し、確立されると（ステップＳ２１３でＹＥＳ）、処理を終了する。確立されなかった場合（ステップＳ２１３でＮＯ）、接続エラーと判断する。
【００５８】
このようにして、ＭＦＰ１がスリープモード、DeepSleepモードまたはＥｒｐモードのいずれのモードであっても、またＭＦＰ１と携帯端末２との接続経路に依存することなく、携帯端末２からＭＦＰ１を通常モードに確実に復帰させることができる。
【符号の説明】
【００５９】
１      画像形成装置
２      携帯端末（外部端末）
１０１  ＣＰＵ
１０２  ＲＡＭ
１０５  有線ＬＡＮモジュール
１０６  操作パネル
１０９  無線ＬＡＮモジュール
１１０  スキャナ
１１４  プリンタ
【図１】
2014063404.tif 000003
【図２】
2014063404.tif 000004
【図３】
2014063404.tif 000005
【図４】
2014063404.tif 000006
【図５】
2014063404.tif 000007
【図６】
2014063404.tif 000008
【図７】
2014063404.tif 000009
【図８】
2014063404.tif 000010
【図９】
2014063404.tif 000011
【図１０】
2014063404.tif 000012
【図１１】
2014063404.tif 000013
【図１２】
2014063404.tif 000014